(57)【要約】【課題】浴室の壁面でのカビ等の菌の繁殖を防止できるようにした浴室洗浄装置を提供する。【解決手段】浴室暖房乾燥機に備えるノズル１０から浴室内に水を噴霧して浴室の洗浄を行う。銀イオン発生器１３を備え、浴室の洗浄後に銀イオン発生器１３で生成される銀イオンが溶け込んだ水をノズル１０から浴室内に噴霧する。この噴霧で浴室の壁面に銀イオンの膜が形成され、銀イオンが持つ殺菌性により浴室の壁面でのカビ等の菌の繁殖が防止される。また、銀イオン水の噴霧後に、浴室暖房乾燥機により浴室の乾燥を行う。【選択図】図２
2008183283.tif 000002
【特許請求の範囲】
【請求項１】
浴室暖房乾燥機に備えるノズルから浴室内に水を噴霧して浴室の洗浄を行う浴室洗浄装置であって、
銀イオン発生器を備え、浴室の洗浄後に銀イオン発生器で生成される銀イオンが溶け込んだ水を前記ノズルから浴室内に噴霧することを特徴とする浴室洗浄装置。
【請求項２】
銀イオンが溶け込んだ水の噴霧後に、前記浴室暖房乾燥機により浴室の乾燥を行うことを特徴とする請求項１記載の浴室洗浄装置。
【請求項３】
前記浴室暖房乾燥機に噴霧方向の異なる複数の前記ノズルが設けられていることを特徴とする請求項１又は２記載の浴室洗浄装置。
【発明の詳細な説明】
【技術分野】
【０００１】
本発明は、浴室の洗浄を行う浴室洗浄装置に関する。
【背景技術】
【０００２】
従来、この種の装置として、浴室暖房乾燥機に備えるノズルから浴室内に水を噴霧して浴室の洗浄を行うものは知られている（例えば、特許文献１参照）。このものでは、浴室の洗浄後に浴室暖房乾燥機により浴室の乾燥を行っている。
【０００３】
然し、梅雨時などは、浴室暖房乾燥機の乾燥運転が終了した後に、室外からの湿った空気が浴室内に入り込み、カビ等の菌が繁殖しやすい環境になってしまうことがある。
【特許文献１】特開２００２−８１８６１号公報
【発明の開示】
【発明が解決しようとする課題】
【０００４】
本発明は、以上の点に鑑み、浴室の壁面でのカビ等の菌の繁殖を防止できるようにした浴室洗浄装置を提供することをその課題としている。
【課題を解決するための手段】
【０００５】
上記課題を解決するために、本発明は、浴室暖房乾燥機に備えるノズルから浴室内に水を噴霧して浴室の洗浄を行う浴室洗浄装置であって、銀イオン発生器を備え、浴室の洗浄後に銀イオン発生器で生成される銀イオンが溶け込んだ水を前記ノズルから浴室内に噴霧することを特徴とする。
【０００６】
本発明の如く銀イオンが溶け込んだ水（銀イオン水）を浴室内に噴霧すると、浴室の壁面に銀イオンの膜が形成される。そのため、銀イオンが持つ殺菌性により、浴室の壁面でのカビ等の菌の繁殖が防止される。
【０００７】
尚、洗浄中から銀イオン水を噴霧することも考えられるが、これでは洗浄終了までに壁面から流れ落ちてしまう銀イオンの量が多くなり、銀イオンが無駄に消費されてしまう。従って、銀イオンの浪費を回避するには、本発明の如く洗浄後に銀イオン水を噴霧する必要がある。
【０００８】
但し、壁面が濡れたまま放置されると、壁面から銀イオンが次第に流れ落ちてしまう。この場合、銀イオン水の噴霧後に、浴室暖房乾燥機により浴室の乾燥を行えば、壁面からの水分の蒸発で銀イオンが壁面に長く留まり、殺菌効果が持続する。
【０００９】
尚、１個のノズルからの水の噴霧範囲は限られ、浴室全体に噴霧水を行渡らせることはできない。この場合、浴室暖房乾燥機に噴霧方向の異なる複数のノズルが設けられていれば、個々のノズルからの噴霧範囲が限られても、複数のノズルからの噴霧により噴霧水が浴室全体に行渡り、浴室全体を洗浄できる。
【発明を実施するための最良の形態】
【００１０】
図１を参照して、ＢＲは浴室を示している。浴室ＢＲ内には浴槽ＢＴが設置されている。また、浴室ＢＲの天井部には浴室暖房乾燥機１が配置されている。
【００１１】
浴室暖房乾燥機１の本体２の下面には、浴室ＢＲ内に露出するカバー３が設けられている。カバー３には、図示省略した吸込み口と吹出し口とが形成されている。本体２内には、浴室ＢＲ内の空気を吸込み口から吸込んで吹出し口から浴室ＢＲ内に送風する循環ファン４と、放熱器５とが設けられている。また、浴室暖房乾燥機１は、吸込み口から本体１内に流入した空気の一部を屋外に排気する換気ファン６を備えている。
【００１２】
放熱器５には、図２に示す如く、別置きの熱源機７に連なる熱媒循環路８が接続されている。熱媒循環路８には暖房用熱媒弁９が介設されており、熱源機７で加熱された熱媒体(水、不凍液等)が暖房用熱媒弁９の開弁で放熱器５に供給される。そして、循環ファン４の作動により吸込み口から本体２内に吸込まれる浴室の空気が放熱器５で加熱され、温風となって吹出し口から浴室ＢＲ内に送風されて、浴室ＢＲの暖房が行われる。また、放熱器５に熱媒体を循環させた状態で循環ファン４及び換気ファン６を作動させれば、浴室ＢＲの乾燥が行われる。
【００１３】
カバー３には水を噴霧する複数のノズル１０が設けられている。これらノズル１０の噴霧方向は互いに異なっている。ここで、１個のノズル１０からの水の噴霧範囲は限られるが、噴霧方向の異なる複数のノズル１０を設けることで、浴室ＢＲ全体に噴霧水が行渡るようになる。
【００１４】
これらノズル１０に水を供給する給水路１１には、上流側から順に、給水弁１２と、銀イオン発生器１３と、液々熱交換器１４と、各ノズル１０に対応する噴霧弁１５とが介設されている。液々熱交換器１４には、熱媒循環路８から分岐した熱媒循環路８´が接続されており、この熱媒循環路８´に流量調節弁から成る噴霧用熱媒弁１６が介設されている。そして、熱源機７で加熱された熱媒体が噴霧用熱媒弁１６の開弁で液々熱交換器１４に供給され、給水路１１に流れる水が液々熱交換器１４で熱媒体の熱により加熱され、温水となってノズル１０に供給されるようにしている。
【００１５】
銀イオン発生器１３は、給水路１１に流れる水に銀イオンを溶出する電解槽で構成されている。
【００１６】
上記した循環ファン４、換気ファン６、暖房用熱媒弁９、給水弁１２、銀イオン発生器１３、噴霧弁１５及び噴霧用熱媒弁１６は図示省略した浴室暖房乾燥機用のコントローラで制御される。このコントローラは熱源機７用のコントローラと浴室に設置する浴室暖房乾燥機用のリモコンとに通信可能に接続されている。リモコンには、暖房スイッチ、乾燥スイッチ、ミストスイッチといった各種スイッチが設けられている。そして、コントローラは、これらスイッチの操作に応じて暖房運転制御、乾燥運転制御、ミスト運転制御といった各種制御を実行する。
【００１７】
暖房運転制御では、先ず、熱源機７に作動指令を送ると共に暖房用熱媒弁９を開弁させて、熱源機７で加熱された熱媒体を放熱器５に供給する。そして、放熱器５の予熱が完了したとき、循環ファン４を作動させる。これにより、吹出し口から温風が吹出し、浴室ＢＲの暖房が行われる。乾燥運転制御では、暖房運転制御と同様の制御に加え、換気ファン６を作動させる。これにより、浴室ＢＲの湿気が屋外に排出され、浴室ＢＲの乾燥が行われる。
【００１８】
ミスト運転制御では、先ず、熱源機７に作動指令を送ると共に、暖房用熱媒弁９と噴霧用熱媒弁１６とを開弁させて、熱源機７で加熱された熱媒体を放熱器５と液々熱交換器１４とに供給する。そして、放熱器５と液々熱交換器１４の予熱が完了したとき、循環ファン４を作動させると共に、給水弁１２と一部の噴霧弁１５とを開弁させる。これにより、吹出し口３から温風が吹出すと共に、一部のノズル１０に液々熱交換器１４で加熱された温水が供給され、このノズル１０から噴霧される温水ミストが温風に乗って浴室ＢＲ内に供給されて、浴室ＢＲが高温多湿のミストサウナ状態になる。
【００１９】
リモコンには更に洗浄スイッチが設けられており、洗浄スイッチの操作でコントローラは図３に示す洗浄運転制御を実行する。洗浄運転制御では、先ず、Ｓ１のステップで熱源機７に作動指令を送ると共に噴霧用熱媒弁１６を開弁させ、熱源機７で加熱された熱媒体を液々熱交換器１４に供給する。次に、Ｓ２のステップで液々熱交換器１４の予熱が完了したか否かを判別する。そして、予熱が完了したときにＳ３のステップに進み、給水弁１２と全ての噴霧弁１５とを開弁させる。これにより、全てのノズル１０から温水が噴霧され、浴室ＢＲ全体に温水ミストが行渡る。そして、入浴中に浴室ＢＲの壁面に飛んだ石鹸の泡等の汚れが壁面に結露する水で洗い流され、浴室ＢＲの洗浄が行われる。
【００２０】
次に、Ｓ４のステップで洗浄開始から所定時間が経過したか否かを判別する。そして、所定時間経過して洗浄が完了したときに、Ｓ５のステップで銀イオン発生器１３に通電する。これにより、銀イオン発生器１３で生成される銀イオンが溶け込んだ水（銀イオン水）がノズル１０から噴霧される。
【００２１】
次に、Ｓ６のステップで銀イオン水の噴霧開始から所定時間が経過したか否かを判別する。そして、所定時間経過したときに、Ｓ７のステップで銀イオン発生器１３への通電を停止すると共に、給水弁１２と噴霧弁１５と噴霧用熱媒弁１６とを閉弁させて、ノズル１０からの噴霧を停止する。その後、Ｓ８のステップで暖房用熱媒弁９を開弁させると共に、循環ファン４と換気ファン６とを作動させて、浴室ＢＲの乾燥を行う。次に、Ｓ９のステップで乾燥開始から所定時間経過したか否かを判別し、所定時間経過したときに、Ｓ１０のステップで熱源機７に作動停止指令を送り、更に暖房用熱媒弁９を閉弁させると共に循環ファン４と換気ファン６とを停止させて、一連の洗浄運転制御を終了する。
【００２２】
このように本実施形態の洗浄運転制御では、ノズル１０から浴室ＢＲ内に水を噴霧して浴室ＢＲの洗浄を行った後に銀イオン水を浴室ＢＲ内に噴霧するため、浴室ＢＲの壁面に銀イオンの膜が形成される。従って、銀イオンが持つ殺菌性により、浴室ＢＲの壁面でのカビ等の菌の繁殖が防止される。
【００２３】
尚、浴室ＢＲの洗浄中から銀イオン水を噴霧することも考えられるが、これでは洗浄終了までに壁面から流れ落ちてしまう銀イオンの量が多くなり、銀イオンが無駄に消費されてしまう。上記の如く洗浄後に銀イオン水を噴霧すれば、銀イオンの浪費を抑制でき有利である。また、本実施形態では、銀イオンの噴霧後に浴室ＢＲの乾燥を行うため、壁面からの水分の蒸発で銀イオンが壁面から流れ落ちにくくなる。従って、銀イオンが壁面に長く留まり、殺菌効果が持続する。
【００２４】
以上、本発明の実施形態について図面を参照して説明したが、本発明はこれに限定されない。例えば、上記実施形態では、浴室ＢＲの洗浄運転時に液々熱交換器１４に熱媒体を供給して、ノズル１０から温水が噴霧されるようにしたが、洗浄時に冷水を噴霧することも可能である。また、上記実施形態の浴室暖房乾燥機１はミストサウナ機能を有するものであるが、浴室暖房乾燥機１はミストサウナ機能を有しないものであっても良い。この場合には、浴室暖房乾燥機１に洗浄専用のノズルを設けて、洗浄時にノズルから浴室内に水を噴霧し、その後で銀イオン水を噴霧する。
【図面の簡単な説明】
【００２５】
【図１】本発明の実施形態の浴室洗浄装置を設置した浴室の断面図。
【図２】実施形態の浴室洗浄装置の配管構造を示す回路図。
【図３】洗浄運転制御の内容を示すフロー図。
【符号の説明】
【００２６】
ＢＲ…浴室、１…浴室暖房乾燥機、１０…ノズル、１３…銀イオン発生器。
【図１】
2008183283.tif 000003
【図２】
2008183283.tif 000004
【図３】
2008183283.tif 000005